(57)【要約】【課題】深みのある背景中に指標部が浮遊するような立体感のある独特の見栄えを実現し得る指針式計器を提供する。【解決手段】観察者に向かって徐々に拡径する円錐面を構成する第１の表示板７と、駆動源５に連結され第１の表示板７の円錐面に沿って回転する指針６１と、少なくとも第１の表示板７を透視可能に覆うと共に指針６１の指示対象となる第２の指標部８１が形成された透明板からなる第２の表示板８とを備え、第２の表示板８を第１の表示板７の深さ方向中間部に配置してなる。【選択図】図２
2010127615.tif 000002
【特許請求の範囲】
【請求項１】
観察者に向かって徐々に拡径する円錐面を構成する第１の表示板と、
駆動源に連結され前記第１の表示板の前記円錐面に沿って回転する指針と、
少なくとも前記第１の表示板を透視可能に覆うと共に前記指針の指示対象となる指標部が形成された透明板からなる第２の表示板とを備え、
第２の表示板を前記第１の表示板の深さ方向中間部に配置してなることを特徴とする指針式計器。
【請求項２】
前記第１の表示板に前記指標部に対応した別の指標部を設けたことを特徴とする請求項１記載の指針式計器。
【請求項３】
前記第２の表示板に光を入射させる光源を備え、前記指標部が前記光源の消灯時は前記第１の表示板を透視可能とし、前記光源の点灯時はその入射光を反射することで光輝する拡散反射部からなることを特徴とする請求項１記載の指針式計器。
【請求項４】
前記第１の表示板を背後から照らす光源を備え、前記第１の表示板が前記光源からの光の透過率を深さ方向に従って変化させることによりグラデーション発光部を形成する透過光調整層を有することを特徴とする請求項１記載の指針式計器。
【請求項５】
前記第１の表示板に前記第２の表示板の少なくとも底面を受ける受部を設けたことを特徴とする請求項１記載の指針式計器。
【発明の詳細な説明】
【技術分野】
【０００１】
本発明は、例えば車両に搭載される指針式計器に関するものである。
【背景技術】
【０００２】
この種の指針式計器として、例えば下記特許文献１に記載されているものが知られている。この指針式計器は、平板状の第１の表示板と、この表示板の板面に沿って回転する指針と、この指針と第１の表示板を透視可能に覆うと共に指針の指示対象となる指標部が形成された透明な平板からなる第２の表示板とを備えており、背景板となる第１の表示板と指標部が形成された第２の表示板とを間隔を空けて配置することで、立体的な見栄えを実現している。
【０００３】
また例えば下記特許文献２に記載されているものも知られている。この指針式計器は、観察者に向かって徐々に拡径する円錐面を構成すると共にこの円錐面に指針の指示対象となる指標部が形成された表示板と、駆動源に連結され表示板の円錐面に沿って回転する指針とを備えており、表示板を円錐面とすることで、立体的な見栄えを実現している。
【０００４】
【特許文献１】特開２０００−０２８３９９号公報
【特許文献２】特開２００８−０５１７３０号公報
【発明の開示】
【発明が解決しようとする課題】
【０００５】
しかしながら、特許文献１の指針式計器は、２枚の平板からなる表示板を、互いに平行となるように間隔を空けて配置したに過ぎない構成であるため、深みのある奥行き背景を表現するのが難しい点で、改良の余地が残されていた。一方、特許文献２の指針式計器は、表示板の円錐面に指標部を設ける構成であるため、指標部が背景中に浮遊して見えるような浮遊感を得るのが難しく、改良の余地が残されていた。
【０００６】
本発明は、この点に鑑みてなされたもので、深みのある背景中に指標部が浮遊するような立体感のある独特の見栄えを実現し得る指針式計器を提供するものである。
【課題を解決するための手段】
【０００７】
本発明は、前記目的を達成するため、観察者に向かって徐々に拡径する円錐面を構成する第１の表示板と、駆動源に連結され前記第１の表示板の前記円錐面に沿って回転する指針と、少なくとも前記第１の表示板を透視可能に覆うと共に前記指針の指示対象となる指標部が形成された透明板からなる第２の表示板とを備え、第２の表示板を前記第１の表示板の深さ方向中間部に配置してなることを特徴とする。このように第１の表示板を円錐面に構成することで、背景に深みのある奥行き感が生まれるだけでなく、指標部を有する第２の表示板を第１の表示板の深さ方向中間部に配置することで、円錐面の途中に指標部が浮遊しているように視認されるため、立体感のある独特の見栄えを実現することができる。
【０００８】
また本発明は、前記第１の表示板に前記指標部に対応した別の指標部を設けたことを特徴とする。これにより第２の表示板の指標部と第１の表示板の別の指標部との対比による更なる立体感を得ることができる。
【０００９】
また本発明は、前記第２の表示板に光を入射させる光源を備え、前記指標部が前記光源の消灯時は前記第１の表示板を透視可能とし、前記光源の点灯時はその入射光を反射することで光輝する拡散反射部からなることを特徴とする。これにより光源の点灯時のみ指標部が視認されるため、斬新な表示を行うことができる。
【００１０】
また本発明は、前記第１の表示板を背後から照らす光源を備え、前記第１の表示板が前記光源からの光の透過率を深さ方向に従って変化させることによりグラデーション発光部を形成する透過光調整層を有することを特徴とする。これにより透過光の強弱によって奥行き感を一層際だたせることができる。
【００１１】
また本発明は、前記第１の表示板に前記第２の表示板の少なくとも底面を受ける受部を設けたことを特徴とする。これにより第２の表示板を安定的に保持することができる。
【発明の効果】
【００１２】
本発明によれば、初期の目的を達成でき、立体感のある独特の見栄えを実現することが可能な指針式計器を提供することができる。
【発明を実施するための最良の形態】
【００１３】
図１〜図３は、本発明の第１の実施形態を示し、図１は指針式計器の正面図、図２は図１の断面図、図３は第１の表示板を正面視した際のイメージ図である。
【００１４】
図１，図２において、本実施形態による指針式計器は、第１，第２のケース１，２内に回路基板３と、光源４と、駆動源５と、指針６と、第１の表示板７と、第２の表示板８とを収納保持してなる。
【００１５】
第１，第２のケース１，２は、例えば合成樹脂からなり、二つを組み合わせて各収納部品を収容する枠体を構成する。
【００１６】
回路基板３は、周知な硬質配線基板からなり、図示しない回路パターンに光源４をはじめとする各種回路素子が実装されている。
【００１７】
光源４は、例えば発光ダイオードからなり、指針６の背後に配置され、指針６と第２の表示板８を照らすと共に、第１の表示板７の背後にも配置され、第１の表示板７を背後から照らすようになっている。
【００１８】
駆動源５は、例えばステッピングモータからなり、計測量に応じて指針４を回転動作させる指針軸を備えている。
【００１９】
指針６は、駆動源５の指針軸に挿入連結され、駆動源３を通じて軸回り回転し第１，第２の表示板７，８の各々に形成された後述する指標部を指示する透光性合成樹脂材料からなる指示部材６１と、この指示部材６の回転基部前方及び側方を覆うカバー部材６２とからなり、指示部材６１は第１の表示板７に沿って斜めに伸びている。
【００２０】
第１の表示板７は、透光性合成樹脂板に印刷を施してなり、回路基板１に沿う底部７１と、この底部７１の外周から観察者に向かって徐々に拡径するように円錐面を構成するように伸びる円錐部７２とを有している。
【００２１】
底部７１は、指針カバー６２の外形サイズに合致し、これにより底部７１は指針カバー６２によって覆われて視認されないようになっており、デザイン性を高めている。またこの底部７１には孔が形成され、この孔に光源４が臨む構成となっている。
【００２２】
円錐部７２は、指針６及び第２の表示板２の背景を構成する地部７２１と、指針６の指示対象となる目盛からなる第１の指標部（別の指標部）７２２とがスクリーン印刷、デジタル印刷等の手段により形成されている。
【００２３】
地部７２１は、光源４からの光の透過率を深さ方向に従って変化させることによりグラデーション発光部を形成する透過光調整層からなるもので、この場合、円錐部７２の深部が最も光透過率を低く設定し、この深部から観察者に向かうに従って徐々に光透過率が高くなるように設定することで、例えば図３に示すように深部から観察者に向かうに従って例えば黒色から青色に透過色（印刷色）が変化するようになっている。なお深さ方向における光透過率の変化はこの逆、すなわち深部から観察者に向かうに従って徐々に光透過率が低くなるように設定してもよい。
【００２４】
第１の指標部７２２は、例えば白色に設定され、深部に向かうに従って徐々に幅狭（先細り）となるよう放射状に形成されている。このように深部に向かうに従って徐々に幅狭とすることで、奥行き感を助長する効果がある。
【００２５】
また円錐部７２の深さ方向中間部（この場合、中間部とは深さ方向等距離を示すものではなく、底部７１と円錐部７２の最も観察者側開口部との間の領域を示す）には、第２の表示板８の底部を受けるための受部７３が形成されている。
【００２６】
第２の表示板８は、例えば透明な合成樹種板からなり、指針６と第１の表示板７を透視可能に覆うと共に第１の指標部７２２に対応する箇所には、数字からなり、指針６の指示対象となる第２の指標部８１が形成されている。
【００２７】
このように構成された第２の表示板８は、第１の表示板７の受部７３に底部が接した状態で保持されることにより、第１の表示板７の深さ方向中間部に円錐部７２を水平方向に横切るように配置される。
【００２８】
以上のように、本実施形態では、観察者に向かって徐々に拡径する円錐面を構成する第１の表示板７と、駆動源５に連結され第１の表示板７の円錐面に沿って回転する指針６１と、指針６と第１の表示板７を透視可能に覆うと共に指針６１の指示対象となる第２の指標部８１が形成された透明板からなる第２の表示板８とを備え、第２の表示板８を第１の表示板７の深さ方向中間部に配置してなることにより、円錐面に形成した第１の表示板７を通じて背景に深みのある奥行き感が生まれるだけでなく、第２の指標部８１を有する第２の表示板８が第１の表示板７の深さ方向中間部に配置されることで、円錐面の途中に第２の指標部が浮遊しているように視認されるため、立体感のある独特の見栄えを実現することができる。
【００２９】
また本実施形態では、第１の表示板７に第２の指標部８１に対応した第１の指標部（別の指標部）７２２を設けたことを特徴とする。これにより第２の表示板８の第２の指標部８１と第１の表示板７の第１の指標部７２２との対比による更なる立体感を得ることができる。
【００３０】
また本実施形態では、第１の表示板７を背後から照らす光源４を備え、第１の表示板７が光源４からの光の透過率を深さ方向に従って変化させることによりグラデーション発光部を形成する地部（透過光調整層）７２１を有することにより透過光の強弱によって奥行き感を一層際だたせることができる。なお本実施形態では地部７２１を透過光調整層と兼用して設けることで、光源４の点灯時及び消灯時にグラデーションが視認されるように構成したが、光源４の点灯時のみグラデーションが視認されるよう地部７２１とは別に透過光調整層を設けてもよい。
【００３１】
また本実施形態では、第１の表示板７に第２の表示板８の少なくとも底面を受ける受部７３を設けたことにより第２の表示板８を安定的に保持することができる。
【００３２】
図４は、本発明の第２の実施形態を示す断面図であり、本実施形態では、第２の表示板８をＬ字に屈曲する透明板として設けると共に、この第２の表示板８に光を入射させる光源４を設け、第２の指標部８１を第２の表示板の例えば裏面に設けた拡散反射部により形成したものである。この拡散反射部は、微細な凹凸部からなり、凹凸部の大きさや深さは光源４の消灯時は第１の表示板７が透視可能となるよう透明性を維持し、光源４の点灯時はその入射光を乱反射することで光輝して指標部８１を形成できるサイズに設定されている。なお本実施形態では第１の表示板７や指針６を照らす光源は省略されている。また本実施形態では、第１の表示板７に孔を設け、この孔を通じて第２の表示板８を挿入組み付けする構成である。
【００３３】
このように構成したことにより、前記第１の実施形態と同様の効果を期待できる他、光源４の点灯時のみ指標部８１が視認されるため、斬新な表示を行うことができる。
【００３４】
図５は、本発明の第３の実施形態を示す断面図であり、本実施形態では、指針６がコ字状に迂回して第１，第２の表示板７，８上に至る構成となっている。なお本実施形態では一切の光源を省略している。
【００３５】
このように構成したことにより、前記第１の実施形態と同様の効果を期待できる。
【図面の簡単な説明】
【００３６】
【図１】本発明の第１の実施形態による指針式計器の正面図。
【図２】図１の断面図。
【図３】本実施形態による第１の表示板を正面視した際のイメージ図
【図４】本発明の第２の実施形態を示す断面図。
【図５】本発明の第３の実施形態を示す断面図。
【符号の説明】
【００３７】
１  第１のケース
２  第２のケース
３  回路基板
４  光源
５  駆動源
６  指針
７  第１の表示板
８  第２の表示板
６１  指示部材
６２  カバー部材
７１  底部
７２  円錐部
８１  第２の指標部
７２１  地部
７２２  第１の指標部（別の指標部）
【図１】
2010127615.tif 000003
【図２】
2010127615.tif 000004
【図３】
2010127615.tif 000005
【図４】
2010127615.tif 000006
【図５】
2010127615.tif 000007